【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
多機能装置であって、
印刷エンジンと、
１つ以上の電源状態モニタと、
少なくとも部分的に外周部により囲まれるユーザインターフェースと、
前記外周部の少なくとも一部を照らすよう配置される第１の発光モジュールと、
前記第１の発光モジュールと通信するプロセッサと、
プログラム命令を含むコンピュータ可読媒体であって、前記プログラム命令が前記プロセッサにより実行されると、前記プロセッサが、
前記多機能装置の電源オンに対応する誘発事象を検知し、
前記誘発事象の検知に応じて、前記１つ以上の電源状態モニタから、前記多機能装置の電源状態に関する情報を受け取り、前記多機能装置の前記電源状態に関する情報が、前記多機能装置の１つ以上の構成要素の電源情報に関する情報を含み、
前記多機能装置の電源オンのシーケンスが完了するまでに残されている時間を判定し、
前記電源オンのシーケンスに対応する前記電源状態に関する情報をユーザに提供する、だんだん大きくなるリング形状の照明パターンに対応する第１の視覚パターンを含む、前記誘発事象に関連する動的なフィードバックパターンを特定し、前記電源オンのシーケンスが完了するまでに残されている前記判定された時間に基づいて、前記だんだん大きくなるリング形状の照明パターンのサイズを判定し、
前記第１の発光モジュールに前記第１の視覚パターンを発光するよう命令する
よう構成される、コンピュータ可読媒体と、
を含む多機能装置。
【請求項２】
前記第１の発光モジュールが、
ＬＥＤを含むディスプレイと、
制御ユニットであって、
前記プロセッサから前記動的なフィードバックパターンを受け取り、
前記ＬＥＤが、前記第１の視覚パターンを作成するためのコマンドを生成する
よう構成される制御ユニットと、を含む、請求項１に記載の多機能装置。
【請求項３】
前記多機能装置が、音声モジュールをさらに含み、
前記コンピュータ可読媒体が、付加的なプログラム命令であって、前記プロセッサにより実行されると、前記プロセッサが、
前記動的なフィードバックパターンを特定するため、前記動的なフィードバックパターンには、少なくとも１つの音声パターンが含まれ、
前記第１の発光モジュールが、前記第１の視覚パターンを発光するとき、前記音声モジュールに前記音声パターンを出力するよう命令するよう構成されるプログラム命令を含む、
請求項１に記載の多機能装置。
【請求項４】
前記音声モジュールに前記音声パターンを出力させる前記命令が、前記音声パターンに前記第１の視覚パターンを真似させるよう構成される、請求項３に記載の多機能装置。
【請求項５】
前記ユーザインターフェースが、第２の発光モジュールも含み、
前記特定される動的なフィードバックパターンには、前記第２の発光モジュールにより発光される第２の視覚パターンも含まれる、
請求項１に記載の多機能装置。
【請求項６】
前記プロセッサに前記誘発事象を検知させるように構成された前記プログラム命令が、前記プロセッサに、
前記多機能装置の電源オフ、
低電源モードの発動、
閾時間中の予備低電源モードの発動、または
前記多機能装置のウォーミングアップの発動、
のうちの１つ以上をさらに検知させるように構成されたプログラム命令を含み、
前記動的なフィードバックパターンが前記多機能装置の電源オフのシーケンス、前記多機能装置のウォーミングアップのシーケンス、または前記多機能装置の低電源状態に対応する１つ以上の個別の第１の視覚パターンをさらに含む、
請求項１に記載の多機能装置。
【請求項７】
前記第１の視覚パターンが、ＬＥＤの色のパターン、ＬＥＤの輝度の変化、ＬＥＤ照明パターン、ＬＥＤ照明の形状、またはＬＥＤ照明のサイズのうちの１つ以上を含む、請求項１に記載の多機能装置。
【請求項８】
前記ユーザインターフェースが電源ボタン、およびチャネルまたはベゼルを含む前記外周部である、請求項１に記載の多機能装置。
【請求項９】
多機能装置のための様々な形態の動的な電源フィードバックを提供する方法であって、
前記多機能装置の電源オンに対応する誘発事象を検知するステップと、
前記誘発事象の検知に応じて、前記多機能装置の１つ以上の電源状態モニタから前記多機能装置の電源状態に関する情報を受け取るステップであって、前記多機能装置の前記電源状態に関する情報が、前記多機能装置の１つ以上の構成要素の電源状態に関する情報を含む、ステップと、
前記多機能装置の電源オンのシーケンスが完了するまでに残されている時間を判定するステップと、
前記電源オンのシーケンスに対応する前記電源状態に関する情報をユーザに提供する、だんだん大きくなるリング形状の照明パターンを含む第１の視覚パターンを含む、前記誘発事象に関連する動的なフィードバックパターンを特定するステップであって、前記電源オンのシーケンスが完了するまでに残されている前記判定された時間に基づいて、前記だんだん大きくなるリング形状の照明パターンのサイズを判定する、ステップと、
第１の発光モジュールに前記第１の視覚パターンを発光するよう命令するステップであって、前記第１の発光モジュールが、前記多機能装置のユーザインターフェースを少なくとも部分的に囲む外周部の少なくとも一部を照らすよう配置される、ステップと、
を含む方法。
【請求項１０】
前記第１の発光モジュールが、
ＬＥＤと、
制御ユニットと、を含み、
前記第１の発光モジュールに前記第１の視覚パターンを発光するよう命令するステップには、前記ＬＥＤに前記第１の視覚パターンを作成させるコマンドを生成するよう前記制御ユニットに命令することが含まれる、
請求項９に記載の方法。
【請求項１１】
前記動的なフィードバックパターンを特定するため、前記特定される動的なフィードバックパターンに音声パターンも含ませるステップと、
前記第１の発光モジュールが、前記第１の視覚パターンを発光するとき、音声モジュールに前記音声パターンを出力するよう命令するステップと、
をさらに含む請求項９に記載の方法。
【請求項１２】
前記音声モジュールに前記音声パターンを出力するよう命令するステップには、前記音声パターンに前記第１の視覚パターンを真似るよう前記音声モジュールに命令することが含まれる、請求項１１に記載の方法。
【請求項１３】
前記動的なフィードバックパターンを特定するため、前記特定される動的なフィードバックパターンに第２の視覚パターンも含ませるステップと、
第２の発光モジュールに前記第２の視覚パターンを発光するよう命令するステップであって、前記第２の発光モジュールが前記ユーザインターフェースを照らす、ステップと
をさらに含む請求項９に記載の方法。
【請求項１４】
前記誘発事象を検知するステップが、
前記多機能装置の電源オフ、
低電源モードの発動、
閾時間中の予備低電源モードの発動、または
前記多機能装置のウォーミングアップの発動、
のうちの１つ以上をさらに検知することを含み、
特定された前記動的なフィードバックパターンが前記多機能装置の電源オフのシーケンス、前記多機能装置のウォーミングアップのシーケンス、または前記多機能装置の低電源状態に対応する１つ以上の個別の第１の視覚パターンをさらに含む、請求項９に記載の方法。
【請求項１５】
前記第１の視覚パターンが、ＬＥＤの色のパターン、ＬＥＤの輝度の変化、ＬＥＤ照明パターン、ＬＥＤ照明の形状、またはＬＥＤ照明のサイズのうちの１つ以上を含む、請求項９に記載の方法。